(57)【特許請求の範囲】
【請求項１】
原稿面に沿って移動して画像を走査する第１走査光学部と、
該第１走査光学部が走査した画像の反射光を、画像読取手段へ導く第２走査光学部と、
前記移動方向の前後端に位置が固定されて設けられた第１と第２のプーリと、
前記第１及び第２走査光学部を連動して移動させるワイヤとを備える画像読取装置であって、
前記ワイヤは、一方の端部が前記画像読取装置に固定され、さらに、前記第２走査光学部に支持された第２走査光学部プーリに架けられ、前記第１走査光学部に固定され、前記第１プーリ、前記第２プーリ、前記第２走査光学部プーリへと順に巻回されており、
前記第２走査光学部プーリには、前記ワイヤが正逆の走査方向それぞれから同方向に反転するように架けられた画像読取装置において、
前記ワイヤの、前記第２走査光学部プーリから前記第１走査光学部への架設部分に対して、前記第１走査光学部から前記第１プーリへの架設部分が屈折するように前記第１プーリが配置され、
前記ワイヤを、ワイヤの他方の端部から前記第２走査光学部プーリに架けられるまでの間に、回転しないプーリに架けて架設し、
前記ワイヤの他方の端部は、前記ワイヤの張力を一定に保持するために付勢する付勢手段に接続されたことを特徴とする画像読取装置。
【請求項２】
前記第１プーリは、前記ワイヤの一方側を巻き取ると共に他方側を送り出す駆動プーリであることを特徴とする請求項１に記載の画像読取装置。
【請求項３】
請求項１又は２に記載の画像読取装置と、
シートに画像を形成する画像形成手段と、を備えたことを特徴とする画像形成装置。
【発明の詳細な説明】
【０００１】
【発明の属する技術分野】
本発明は、原稿の画像を読み取る画像読取装置に関するものであり、例えば複写機やファクシミリ等の画像形成装置に適用される。
【０００２】
【従来の技術】
従来の画像読取装置を適用した画像形成装置の断面図を図７に示す。
【０００３】
図７において、画像形成装置本体Ａは、その上部にブック原稿の画像情報を読み取る画像読取装置であるリーダー部Ｂを有し、その下部にシートに画像を形成する画像形成手段となる画像形成部Ｃを有し、更にその下部に画像形成部Ｃに送り出すシートを積載したシートデッキＤを組み付けて構成されている。
【０００４】
尚、画像形成部Ｃでの画像形成は、例えばインクジェット方式や電子写真方式等の従来から公知の方式により行われる。
【０００５】
前記リーダー部Ｂは、走査系光源２０１を有する第１走査光学体としての第１ミラー台３０３，プラテンガラス２０２，画像形成装置本体Ａに対して開閉可能な原稿圧板２０３，ミラー２０４を有する第２走査光学体としての第２ミラー台３０７，レンズ２０５，画像読取手段としての受光素子（光電変換素子）２０６及び画像処理部等を有して構成されている。
【０００６】
図４、図５にリーダー部Ｂの詳細図を示す。
【０００７】
第１ミラー台３０３及び第２ミラー台３０７は、光学駆動ワイヤ３００によって連動して移動するようになっている。
【０００８】
ワイヤ３００は、走査終点側で駆動軸一体の駆動プーリ３０１に巻きつけられ、そのワイヤ一端は、第１ミラー台３０３をワイヤ３００に固定する第１ミラー台固定金具３０２と固定された固定部を経て、その先の第２ミラー台３０７に支持される第２ミラー台プーリ３０４にかかって反転し、その端部が装置フレームに固定される。
【０００９】
また、ワイヤ３００の対するもう一端は、走査始点側でフレームに固定されて回転してワイヤ３００を案内する従動プーリＡ３０５にかかって反転して走査方向に向かい、さらに第２ミラー台プーリ３０４にかかって反転し、従動プーリＡ３０５と同様にフレームに固定されて回転してワイヤ３００を案内する従動プーリＢ３０６にかかった後、ワイヤ３００の張力を一定に保つ付勢手段としてのテンションばね３０８を介して、その端部をフレームに固定される。
【００１０】
上記に説明した第２ミラー台プーリ３０４は、図６に拡大して示すように、外周にワイヤ３００を２つかけることができる２連構造となっており、第１周に第１ミラー台３０３を固定した固定部から来たワイヤ３００をかけてワイヤ端部をフレームに固定し、第２周に従動プーリＡ３０５から来たワイヤ３００をかけてテンションばね３０８に接続する。
【００１１】
そして、図示しない駆動モータより駆動プーリ３０１に動力が伝わると、図４にＡで示されるホームポジションから第１ミラー台３０３は図中の矢印方向に走査を行い、最大ＬＥＤＧＥＲサイズの原稿を読み終えるときに、図４にＢで示されるエンドポジションまで移動し、第１ミラー台３０３は破線で示されるように位置する。
【００１２】
この時、第２ミラー台３０７も第１ミラー台３０３に連動して移動するが、構造上、第１ミラー台３０３の移動距離と第２ミラー台３０７の移動距離は、常に２：１の関係となっており、プラテンガラス２０２上の原稿面からレンズ２０５までの光路長は一定に保たれる。
【００１３】
そして、原稿終端まで読み取りが終了すると即座に進行方向を逆転し、元のホームポジションまで戻って次の読み取りに備える。
【００１４】
このような従来のリーダー部Ｂにおいては、第２ミラー台プーリ３０４，第１ミラー台固定金具３０２及び駆動プーリ３０１を、ワイヤ３００がほぼ水平になるようにそれぞれ配置していた。
【００１５】
このような配置をとることによって、図４に示すように、第１ミラー台３０３がホームポジションからエンドポジションまで移動する間、第２ミラー台プーリ３０４，第１ミラー台固定金具３０２及び駆動プーリ３０１を結ぶワイヤ３００はほぼ水平に保たれる。
【００１６】
しかしながら、近年は、図１に示すように、装置を小型化するために、駆動プーリ３０１を従来よりも装置内側、即ちプラテンガラス２０２から離れた配置にすることが要求され、第１ミラー台３０３がエンドポジションに近づくにつれ、ワイヤ３００が第１ミラー台固定金具３０２に固定された固定部で屈曲するような構成をとる場合があった。
【００１７】
また、特公平２―１９９３６号の技術で述べられているように、意識的にワイヤ３００を屈曲させて、ミラー台をガイドするレールにミラー台を押し付け、ミラー台がレールから浮くことを防止しようとする場合もあった。
【００１８】
【発明が解決しようとする課題】
しかしながら、このような場合においては次のような問題が生じていた。
【００１９】
図２に示すように、第１ミラー台３０３がエンドポジションに移動した際には、第１ミラー台固定金具３０２に向かうワイヤ３００が、第１ミラー台３０３がホームポジションの時のほぼ水平な状態から角度α屈曲する。
【００２０】
これにより、図３に示すように、第１ミラー台３０３がＡからＢまで移動したとすると、第２ミラー台プーリ３０４，第１ミラー台固定金具３０２及び駆動プーリ３０１を結ぶワイヤ量は、
エンドポジションでのワイヤ量Ｘ＋Ｙ＞ホームポジションでのワイヤ量Ｚ
となる。
【００２１】
つまり、第１ミラー台３０３がホームポジションからエンドポジションに移動するにつれて、駆動プーリ３０１から送り出されるワイヤ量に対して、巻き取られるワイヤ量は少なくなり、第２ミラー台プーリ３０４の第１周にかかるワイヤ３００には、本来より多くの第２ミラー台プーリ３０４を回そうとする力が働く。
【００２２】
これに対して、駆動プーリ３０１から送り出されるワイヤ量は変わらないので、第２ミラー台プーリ３０４の第２周にかかるワイヤ３００は通常通りの回転しかしない。
【００２３】
このことから、第２ミラー台プーリ３０４の第１周と第２周とにかかるワイヤ３００の間で力の不均衡が生じてしまう。
【００２４】
この第１周と第２周とにかかるワイヤ３００の間で力の不均衡は、第１ミラー台３０３の移動距離が少ないうち（ホームポジション付近）は、この不均衡をワイヤ３００の伸び等で吸収しているが、第１ミラー台３０３がエンドポジション付近まで到達し、不均衡が大きい急激な張力がかかると吸収しきれなくなり、ついにはばね３０８が伸び、第２ミラー台プーリ３０４の第２周でワイヤ３００のスリップが生じる。
【００２５】
このスリップした時のワイヤ３００の振れ等のショックが第１ミラー台３０３の光源２０１やミラー等を振動させ、読み取り画像がぶれるという問題が生じていた。
【００２６】
本発明は上記の従来技術の課題を解決するためになされたもので、その目的とするところは、ワイヤのスリップを防止して読み取り画像がぶれることを防ぎ、装置の小型化を達成する画像読取装置及び画像形成装置を提供することを目的とする。
【００２７】
【課題を解決するための手段】
上記目的を達成するために本発明の画像読取装置にあっては、原稿面に沿って移動して画像を走査する第１走査光学部と、該第１走査光学部が走査した画像の反射光を、画像読取手段へ導く第２走査光学部と、前記移動方向の前後端に位置が固定されて設けられた第１と第２のプーリと、前記第１及び第２走査光学部を連動して移動させるワイヤとを備える画像読取装置であって、前記ワイヤは、一方の端部が前記画像読取装置に固定され、さらに、前記第２走査光学部に支持された第２走査光学部プーリに架けられ、前記第１走査光学部に固定され、前記第１プーリ、前記第２プーリ、前記第２走査光学部プーリへと順に巻回されており、前記第２走査光学部プーリには、前記ワイヤが正逆の走査方向それぞれから同方向に反転するように架けられた画像読取装置において、前記ワイヤの、前記第２走査光学部プーリから前記第１走査光学部への架設部分に対して、前記第１走査光学部から前記第１プーリへの架設部分が屈折するように前記第１プーリが配置され、前記ワイヤを、ワイヤの他方の端部から前記第２走査光学部プーリに架けられるまでの間に、回転しないプーリに架けて架設し、前記ワイヤの他方の端部は、前記ワイヤの張力を一定に保持するために付勢する付勢手段に接続されたことを特徴とする。
【００２８】
前記第１プーリは、前記ワイヤの一方側を巻き取ると共に他方側を送り出す駆動プーリであるとよい。
【００３０】
本発明の画像形成装置にあっては、上記の画像読取装置と、シートに画像を形成する画像形成手段と、を備えたことを特徴とする。
【００３１】
【発明の実施の形態】
以下、図面に沿って本発明の実施の形態を説明する。尚、従来技術と重複する構成については、同じ符号を付して説明を省略するものである。
【００３２】
実施の形態に係る画像読取装置は、図１の従来技術と同様の装置の小型化を図った構成である。この画像読取装置も従来技術と同様に画像形成装置に適用されるものである。
【００３３】
本画像読取装置においても、装置を小型化するために、駆動プーリ３０１を従来よりも装置内側、即ちプラテンガラス２０２から離れた配置にし、第１ミラー台３０３がエンドポジションに近づくにつれ、光学駆動ワイヤ３００が第１ミラー台固定金具３０２に固定された部分で屈曲するような構成をとっている。
【００３４】
本装置でＡ３原稿を走査すると、第１ミラー台３０３はほぼエンドポジションまで移動する。このエンドポジションに移動した際には、図２に示すように、第１ミラー台固定金具３０２に向かうワイヤ３００が、第１ミラー台３０３がホームポジションの時のほぼ水平な状態から角度α屈曲する。
【００３５】
この屈折により、第２ミラー台プーリ３０４の第１周にかかるワイヤ３００が、第２ミラー台プーリ３０４の第２周にかかるワイヤ３００よりも多く第２ミラー台プーリ３０４を回転させようとした結果、その歪みを吸収するために、第２ミラー台プーリ３０４の第２周にかかったワイヤ端部に連結されているばね３０８が伸び、第２ミラー台プーリ３０４の第２周でワイヤ３００のスリップが発生してしまう。
【００３６】
よって、これを防ぐためには、まず第１に、第２ミラー台プーリ３０４の第２周にかかるワイヤ端部が動かないように、第２ミラー台プーリ３０４の第１周ワイヤ端部と同じように、ばね３０８を介さずにフレームに直接固定してしまうという方法が考えられる。
【００３７】
しかし、このような構成の場合、装置を組み立てる初期の段階で、ワイヤ３００に所定の張力を与えてワイヤ両端部を固定してしまうので、経時変化等によって全体のワイヤ長が伸びてしまったりすると、本来のワイヤ張力を確保できなくなり、第１，第２ミラー台３０３，３０７の挙動が不安定になったりする虞がある。
【００３８】
よって本実施の形態では、第２ミラー台プーリ３０４の第２周にかかるワイヤ一端側がかかる画像読取装置本体フレームに固定されている従動プーリＢ３０６を、従来技術で用いていた回転してワイヤ３００を案内する回転型ではなく、回転しない固定型としており、ワイヤ３００をこのプーリＢ３０６にかけた後に、ワイヤ端部を従来技術と同様にばね３０８で付勢する。
【００３９】
このような構成とすることにより、第１ミラー台３０３がエンドポジション付近まで移動し、第２ミラー台プーリ３０４の第２周にかけられたワイヤ３００によって第２周にかけられたワイヤ３００が引っ張られても、回転しないプーリＢ３０６の摩擦力によって、第２周にかけられたワイヤ３００が保持され、第２ミラー台プーリ３０４における第２周にかけられたワイヤ３００のスリップを抑える。
【００４０】
また、本構成によれば、第２ミラー台プーリ３０４でワイヤ３００のスリップを発生させるような急激な張力が固定型のプーリＢ３０６にかかった時には、ワイヤ３００とこのプーリＢ３０６との摩擦が大きいために、ワイヤ３００がスリップせずに保持される。
【００４１】
そして、テンションばね３０８により定常的に付勢されているワイヤ３００の微少な張力においては、プーリＢ３０６との摩擦が小さいために、プーリＢ３０６がワイヤ３００を保持する力も小さく微小にスリップして滑り、ワイヤ３００が経時変化等で伸びたりしても、全体のワイヤ張力をほぼ一定に保つことができる。
【００４２】
以上のように、本実施の形態では、従来の構成から特別なコストをかけることなく安価に装置を小型化しても、良好な画像を得ることができる。
【００４３】
【発明の効果】
以上説明したように、本発明によれば、従来の構成から特別なコストをかけることなく安価に装置の小型化を可能とし、小型化した場合でも、小型化による画像の劣化を防ぎ、良好な画像を得ることができる。また、装置の小型化に伴い装置の運搬が容易になり、設置面積を少なくすることができる。
【図面の簡単な説明】
【図１】小型化を図った画像読取装置のミラー台の移動を示す説明図である。
【図２】第１ミラー台と駆動プーリの間のワイヤがミラー台の移動に応じてなす角度を示す説明図である。
【図３】小型化を図った画像読取装置のホームポジションとエンドポジションそれぞれのワイヤ量を示す説明図である。
【図４】従来技術に係る画像読取装置のミラー台の移動を示す説明図である。
【図５】画像読取装置のワイヤを示す説明図である。
【図６】第２ミラー台プーリを示す斜視図である。
【図７】画像形成装置を示す概略構成図である。
【符号の説明】
３００  ワイヤ
３０１  駆動プーリ
３０２  第１ミラー台固定金具
３０３  第１ミラー台
３０４  第２ミラー台プーリ
３０５  プーリＡ
３０６  プーリＢ
３０７  第２ミラー台
３０８  テンションばね
【図１】
0003595711.tif 000002
【図２】
0003595711.tif 000003
【図３】
0003595711.tif 000004
【図４】
0003595711.tif 000005
【図５】
0003595711.tif 000006
【図６】
0003595711.tif 000007
【図７】
0003595711.tif 000008